(57)【特許請求の範囲】
【請求項１】
出勤/退勤などの勤怠種別と操作者のＩＤ番号を外部から入力する勤怠種別・ＩＤ番号入力手段と、
外部から入力したＩＤ番号で登録されている指紋データを読み出し、得られた指紋データと外部から入力した指紋とを照合する指紋照合手段と、
照合の結果不一致の場合に、登録済みの勤怠種別及びＩＤ番号と操作時間間隔に基づいて同じＩＤの操作者が連続して同じ勤怠種別で操作をしたか否かを判断し、連続して操作していると判断した場合は照合不一致の回数を数える指紋照合ミス集計・解析手段と、
照合ＯＫ時に照合不一致が連続していたことを検出した場合、最初に入力操作した日付・時刻を勤怠データに反映する操作開始日時出力手段を備えたことを特徴とする指紋認証タイムレコーダ。
【請求項２】
照合不一致が所定の値以上連続する場合に、操作者に注意を促し操作方法を示す操作ガイダンスを表示する操作ガイダンス手段を備えたことを特徴とする請求項１記載の指紋認証タイムレコーダ。
【請求項３】
上記指紋照合ミス集計・解析手段からの連続照合不一致回数が所定回数を上回るか否かを調べ、所定回数を上回る場合、同一操作者が連続して照合不一致を発生していることを検出して照合ミス多発の旨のメッセージを出力する照合ミス多発者検出手段と、
照合ミス多発者検出手段からの照合不一致多発の旨のメッセージに基づいて指紋操作のガイダンスを表示する指紋操作ガイダンス手段とを備えたことを特徴とする請求項１記載の指紋認証タイムレコーダ。
【請求項４】
照合不一致多発時は操作を一時中断する保留ボタンを備えたことを特徴とする請求項１記載の指紋認証タイムレコーダ。
【請求項５】
操作者の操作開始から操作成功までの一連の操作履歴を蓄積する操作履歴記憶手段と、この操作履歴をセンター装置に送る勤怠データ作成・記録手段を備えたことを特徴とする請求項１記載の指紋認証タイムレコーダ。
【請求項６】
指紋操作ガイダンス表示後も更に所定回数以上照合ミスが発生する場合、外部へその旨のメッセージを通知する手段を備えたことを特徴とする請求項１記載の指紋認証タイムレコーダ。
【発明の詳細な説明】
【０００１】
【発明の属する技術分野】
この発明は、指紋で認証を行う指紋認証タイムレコーダに関するものである。
【０００２】
【従来の技術】
図１８は従来の指紋認証タイムレコーダの構成を示す図である。図において、１は従業員などのユーザ（以後、操作するユーザを操作者という）が自分のＩＤ番号を指定するためのテンキー、２はテンキー１から操作者のＩＤ番号を入力するＩＤ番号入力手段、３は操作者の指から指紋を入力するための指紋センサー、４はＩＤ番号毎の指紋データを格納している指紋データ記憶手段、５は指紋センサー３によって取得された操作者の指紋を指紋データ記憶手段４に予め登録してある指紋データと照合する指紋照合手段、６は操作者が操作するファンクションキー（以下、ＦＮＣキーと呼ぶこともある）であり、特定の機能（例えば出勤／退勤の勤怠種別）に対応づけられたものである。また、７はＦＮＣキー６から勤怠種別を入力する勤怠種別入力手段、８は勤怠種別に基づいて勤怠データを作成し、記録する勤怠データ作成・記録手段、９は日付及び時刻を出力するための時計、１０は操作日時（日付及び時刻）の表示や操作ミス時の再入力督促表示を行う表示手段、１１は勤怠データを格納する勤怠データ記憶手段である。
【０００３】
また、図１９は従来の指紋認証タイムレコーダの外観を示す図である。
図１９に示すように、指紋認証タイムレコーダでは、現在の日付・時刻をリアルタイムで確認できるとともに操作ミス時の再操作を促すような表示を行う表示手段１０が設けられており、この表示手段１０は例えば液晶表示器によって構成されている。また、この指紋認証タイムレコーダには、「出勤」、「退勤」といった勤怠種別を入力するファンクション（ＦＮＣ）キー６と、操作者のＩＤ番号を入力するテンキー１および、操作者が本人かどうかを識別するために指を置かせる指紋センサー３が装備されている。
なお、「確認」ボタンと「取消」ボタンは、テンキーの一部を利用しているが、テンキー以外に別に設けてもよい。
【０００４】
次に、従来の指紋認証タイムレコーダの動作を説明する。
従業員などの操作者は、入出門時に指紋認証タイムレコーダのテンキー１を利用して自分のＩＤ番号を入力操作し、指紋センサー３に指を置いて指紋データを指紋センサー３に入力させ、その後出勤あるいは退勤のいずれかをファンクション（ＦＮＣ）キー６で指定することにより、出退勤の入力操作を行う。これにより、指紋認証タイムレコーダにおいて、ＩＤ番号入力手段２はテンキー１から操作者のＩＤ番号を取り込み、指紋照合手段５へ出力する。指紋照合手段５は、ＩＤ番号入力手段２から取得したＩＤ番号を検索キーとして指紋データ記憶手段４に格納されているＩＤ番号毎の指紋データを検索し、該当する指紋データを取り出す。指紋データ記憶手段４に該当する指紋データがなかったら、その旨のメッセージを表示手段１０にエラー表示して操作者に再操作を促す。指紋データ記憶手段４から指紋データが取り出されたら、指紋照合手段５はこの指紋データを指紋センサー３から取得した操作者の指紋データと照合する。
【０００５】
この指紋照合の結果、指紋データ記憶手段４からの指紋データと指紋センサー３から取得した操作者の指紋データとが不一致ならば、その旨のメッセージを表示手段１０にエラー表示して操作者に再操作を促す。指紋データ記憶手段４からの指紋データと指紋センサー３から取得した操作者の指紋データとが一致し、指紋照合手段５が当該操作者を本人であると判断すると、照合ＯＫの旨のメッセージを勤怠種別入力手段７へ出力する。勤怠種別入力手段７は、ＯＫの旨のメッセージを指紋照合手段５から入力すると、「出勤」、「退勤」等の勤怠種別の入力を促す画面を表示する。そして操作者が勤怠種別の入力操作を行うと、この勤怠種別を取り込んで表示手段１０に表示し操作者に確認させる。操作者は表示された勤怠種別を確認して、ＯＫならば「確認」ボタンを押し、ＮＧならば「取消」ボタンを押す。勤怠種別入力手段７は、操作者による「確認」ボタン押下を検出したら勤怠種別を取り込んで勤怠データ作成・記録手段８へ出力する。また、「取消」ボタン押下を検出したら表示していた勤怠種別をクリアして勤怠種別の再入力を促す画面を表示する。勤怠データ作成・記録手段８は、勤怠種別を勤怠種別入力手段７から入力すると、この時の日付と時刻を時計９から入力し、▲１▼ＩＤ番号、▲２▼勤怠種別、▲３▼操作日時といった勤怠データを作成し勤怠データ記憶手段１１に記録する。また、この▲１▼〜▲３▼のデータは、勤怠データとして遠隔のセンター装置にネットワーク経由で通知される。
【０００６】
以上のように従来の指紋認証タイムレコーダでは、本人確認を指紋照合で行うため、指紋認証自体の照合精度（本人拒否率）の問題や、指の状態、指の置き方の問題等により、個人によっては、指を置いて照合する場合に、なかなか照合ＯＫにならずに、何回も照合行為を繰り返して、やっと指紋認証が完了できる場合がある。その場合、折角出勤して打刻操作を始めたにもかかわらず、ＯＫにならないため、何度も指紋照合を繰り返しつづけ、やっとＯＫになった時には、就業開始時間遅れといった遅刻扱いにされてしまう。また退勤の時は、打刻操作が遅れて残業扱いにされてしまうこともある。特に照合失敗が連続する人をそのまま放っておくと、さらに遅れ時間が目立ち、勤怠管理全体の運用に支障をきたす恐れがあるため、できる限り早い時点で、照合失敗多発者を検出して、指置き指導ならびに、登録指紋データの再登録をさせる必要がある。
【０００７】
【発明が解決しようとする課題】
このように、従来の指紋認証タイムレコーダにおいて、ユーザによっては指紋認証の失敗を繰り返す恐れがあり、その場合、正確な出勤／退勤の日付・時刻の入力ができないため、勤怠管理に支障をきたすことになるという問題があった。
【０００８】
この発明は、操作者が指紋認証の失敗を繰り返した場合でも、勤怠管理全体の運用に支障をきたさないようにし、指紋認証の失敗を繰り返す恐れのあるユーザの失敗数を減らす指紋認証タイムレコーダを得ることを目的とする。
【０００９】
【課題を解決するための手段】
この発明に係る指紋認証タイムレコーダは、出勤/退勤などの勤怠種別と操作者のＩＤ番号を外部から入力する勤怠種別・ＩＤ番号入力手段と、
外部から入力したＩＤ番号で登録されている指紋データを読み出し、得られた指紋データと外部から入力した指紋とを照合する指紋照合手段と、
照合の結果不一致の場合に、登録済みの勤怠種別及びＩＤ番号と操作時間間隔に基づいて同じＩＤの操作者が連続して同じ勤怠種別で操作をしたか否かを判断し、連続して操作していると判断した場合は照合不一致の回数を数える指紋照合ミス集計・解析手段と、
照合ＯＫ時に照合不一致が連続していたことを検出した場合、最初に入力操作した日付・時刻を勤怠データに反映する操作開始日時出力手段を備えたものである。
【００１０】
また、この発明に係る指紋認証タイムレコーダは、照合不一致が所定の値以上連続する場合に、操作者に注意を促し操作方法を示す操作ガイダンスを表示する操作ガイダンス手段を備えたものである。
【００１１】
また、この発明に係る指紋認証タイムレコーダは、上記指紋照合ミス集計・解析手段からの連続照合不一致回数が所定回数を上回るか否かを調べ、所定回数を上回る場合、同一操作者が連続して照合不一致を発生していることを検出して照合ミス多発の旨のメッセージを出力する照合ミス多発者検出手段と、
照合ミス多発者検出手段からの照合不一致多発の旨のメッセージに基づいて指紋操作のガイダンスを表示する指紋操作ガイダンス手段とを備えたことを特徴とする請求項１記載の指紋認証タイムレコーダ。
ものである。
【００１２】
また、この発明に係る指紋認証タイムレコーダは、照合不一致多発時は操作を一時中断する保留ボタンを備えた操作者の操作開始から操作成功までの一連の操作履歴を蓄積する操作履歴記憶手段と、この操作履歴をセンター装置に送る勤怠データ作成・記録手段を備えたものである。
【００１３】
また、この発明に係る指紋認証タイムレコーダは、操作者の操作開始から操作成功までの一連の操作履歴を蓄積する操作履歴記憶手段と、この操作履歴をセンター装置に送る勤怠データ作成・記録手段を備えたものである。
【００１４】
また、この発明に係る指紋認証タイムレコーダは、指紋操作ガイダンス表示後も更に所定回数以上照合ミスが発生する場合、外部へその旨のメッセージを通知する手段を備えたものである。
【００１５】
【発明の実施の形態】
実施の形態１．
図１は、この発明に係る指紋認証タイムレコーダの実施の形態１を示す構成図である。図において、１は従業員などの操作者が自分のＩＤ番号を指定するためのテンキー、１０２はテンキー１からユーザのＩＤ番号を入力すると共に、ファンクションキー（ＦＮＣキー）６から勤怠種別を入力する勤怠種別・ＩＤ番号入力手段、３は操作者の指から指紋を入力するための指紋センサー、４はＩＤ番号毎のユーザの指紋データを格納している指紋データ記憶手段、１０５は指紋センサー３によって取得された操作者の指紋を指紋データ記憶手段４に予め登録してある指紋データと照合する指紋照合手段、６はユーザが操作するファンクションキーであり、特定の機能（例えば出勤／退勤の勤怠種別）に対応づけられたものである。
【００１６】
また、１１は勤怠データなどを格納している勤怠データ記憶手段、８は勤怠種別に基づいて勤怠データを作成し、勤怠種別データ記憶手段１１に記録する勤怠データ作成・記録手段、９は日付及び時刻を出力するための時計、１０は操作日時や操作した内容の表示の他に操作ミス時の再入力督促や指紋照合ミス時の指紋操作ガイダンスの表示を行う表示手段、１０３は指紋照合ミスにより同じＩＤ番号が連続して入力されたか否かを判断し、連続して入力された場合にその操作間隔や連続入力回数などを調べる指紋照合ミス集計・解析手段であり、内部に解析用のミス記録テーブルを保有している。また、１０４は指紋照合ミス集計・解析手段からの解析結果を参照し、指紋照合ＯＫ時に指紋照合ミスが連続していた場合は、照合ＯＫとなった現在日時ではなく、操作を開始した日時まで遡り、この操作開始日時を操作日時として出力する操作開始日時出力手段、１０６は指紋照合ミスを多発する操作者を検出する照合ミス多発者検出手段、１０７は照合ミス多発者対して指紋操作ガイダンスを表示手段１０に出力する指紋操作ガイダンス手段である。
【００１７】
次に、実施の形態１における指紋認証タイムレコーダの動作を説明する。
図１９は、この実施の形態１でも用いられる。
従業員などの操作者は、入出門時に指紋認証タイムレコーダの前に立ち、出勤あるいは退勤のいずれかをファンクション（ＦＮＣ）キー６で指定し、続いてテンキー１を利用して自分のＩＤ番号を入力操作する。さらに操作者は、指紋センサー３に指を置いて指紋データを指紋センサー３に入力させる。
これにより、指紋認証タイムレコーダにおいて、勤怠種別・ＩＤ番号入力手段１０２はＦＮＣキー６から「出勤」，「退勤」等の勤怠種別を取り込み、さらにテンキー１から操作者のＩＤ番号を取り込み、表示手段１０に取得した勤怠種別とＩＤ番号を表示し、操作者に確認させる。操作者は、確認後取消したい場合、「取消」ボタンを押す。図勤怠種別・ＩＤ番号入力手段１０２は「取消」ボタンの押下を検出すると、取得した勤怠種別及びＩＤ番号の表示をクリヤして勤怠種別及びＩＤ番号の再入力操作を促す画面を表示する。これにより、操作者は勤怠種別及びＩＤ番号の再入力操作を行う。勤怠種別・ＩＤ番号入力手段１０２はこの再入力操作により、再び上記と同様に動作する。また、操作者は確認の結果ＯＫならば、「確認」ボタンを押す。勤怠種別・ＩＤ番号入力手段１０２は「確認」ボタンの押下を検出すると、取得した勤怠種別及びＩＤ番号を指紋照合手段１０５へ出力する。
【００１８】
指紋照合手段１０５は、勤怠種別・ＩＤ番号入力手段１０２から取得したＩＤ番号を検索キーとして指紋データ記憶手段４に格納されているＩＤ番号毎の指紋データを検索し、該当する指紋データを取り出す。指紋データ記憶手段４に指紋データがなかったら、その旨のメッセージを表示手段１０にエラー表示して操作者に再操作を促す。指紋データ記憶手段４から指紋データが取り出されたら、指紋照合手段１０５はこの指紋データを指紋センサー３から取得した操作者の指紋データと照合する。
【００１９】
この指紋照合の結果、指紋データ記憶手段４からの指紋データと指紋センサー３から取得した操作者の指紋データとが不一致（照合ＮＧあるいは照合ミスともいう）ならば、指紋照合手段１０５は勤怠種別，ＩＤ番号および照合ＮＧの旨のメッセージを指紋照合ミス集計・解析手段１０３に出力する。指紋照合ミス集計・解析手段１０３は、指紋照合手段１０５から勤怠種別，ＩＤ番号，照合ＮＧの旨のメッセージを入力すると、この勤怠種別，ＩＤ番号を図２に示す内部のミス記録テーブルに記録するとともに、照合ＮＧの旨のメッセージを表示手段１０にエラー表示して操作者に再操作を促す。これにより、操作者は照合ＯＫになるまで勤怠種別、ＩＤ番号の入力操作及び指紋入力操作を繰り返す。
【００２０】
また、指紋照合ミス集計・解析手段１０３は、ミス記録テーブルに記憶されている前回のＩＤ番号と今回取得したＩＤ番号，操作開始日時，前回操作日時および時計９から取得した現在の日時に基づき同じＩＤの操作者が連続して同じ種別で操作したか否かを判断し、連続して同じ種別で操作していると判断した場合はその回数（指紋照合の回数）を数え、連続照合ミス回数として照合ミス多発者検出手段１０６へ出力する。照合ミス多発者検出手段１０６は、指紋照合ミス集計・解析手段１０３から連続照合ミス回数を入力すると、この連続照合ミス回数と所定の値（基準値）を比較して、所定回数を上回って連続して照合に失敗したか否かを調べる。所定回数を上回って失敗した場合、同一操作者が連続して照合ミスを行っていることを検出し、照合ミス多発の旨のメッセージを指紋操作ガイダンス手段１０７へ出力する。指紋操作ガイダンス手段１０７は、照合ミス多発者検出手段１０６から照合ミス多発の旨のメッセージを伝達されると、当該操作者に例えば「指紋ミスが多いため、指の置き方に注意して下さい。指は………となるように置いて下さい。」という指紋操作のガイダンスを表示手段１０に表示する。これにより、操作者は、指紋操作ガイダンスに従い、再入力操作を行う。
これにより、指紋照合ミス多発者の以降の照合ミスの発生を少なくすることができる。
【００２１】
指紋照合の結果、指紋データ記憶手段４からの指紋データと指紋センサー３から取得した操作者の指紋データとが一致した場合、指紋照合手段１０５は当該操作者を本人であると判断し、照合ＯＫの旨のメッセージを出力する。
操作開始日時出力手段１０４は、指紋照合手段１０５からの照合ＯＫまたは手動による照合ＯＫを入力すると、指紋照合ミス集計・解析手段１０３からの解析結果に基づき、指紋照合ミスが連続していたか否かをチェックする。指紋照合ミスが連続しない場合は、照合ＯＫとなった現在日時を出力し、指紋照合ミスが連続していた場合は、指紋照合ミス集計・解析手段１０３のミス記録テーブルから操作開始日時を取り込んで勤怠データ作成・記録手段８へ出力する。勤怠データ作成・記録手段８は、操作開始日時を操作開始日時出力手段１０４から入力すると、当該操作開始日時を操作日時とした上で、▲１▼ＩＤ番号、▲２▼勤怠種別、▲３▼操作日時を勤怠データとして作成し勤怠データ記憶手段１１に記録するとともに、この▲１▼〜▲３▼の勤怠データを遠隔のセンター装置に通知する。そして操作履歴記憶手段１０１の当該操作者のデータを全てクリアする。
【００２２】
このように、操作者が指紋認証の失敗を連続して繰り返した場合でも、指紋認証成功時に操作開始日時まで遡り、この操作開始日時を勤怠データに反映するようにしたので、勤怠管理全体の運用に支障をきたすことがなくなる。また、指紋照合ミス多発者に対して指紋操作ガイダンスによる指導を行うので、以降当該指紋照合ミス多発者による照合ミスの発生回数を少なくすることができる。
【００２３】
図３は実施の形態１における指紋認証タイムレコーダを、ＣＰＵを用いたハードウェアで実現する場合の構成を示した図である。図において、図１と同符号は同一又は相当部分を示す。２０１はプログラムを実行するＣＰＵ、２０２はプログラムやデータが格納されているメモリ、２０３は指紋センサー６からのデータをＣＰＵ２０１が扱えるようにアナログ信号からディジタル信号へ変換するＡＤ変換器、２０４はテンキー１及びＦＮＣキー６からの信号をＣＰＵ２０１が受信できるように変換するとともに、ＣＰＵ２０１の出力を液晶表示器（表示手段）１０で表示できるように信号変換するＩ／Ｏポート、２０５は遠隔のセンター装置と通信を行う通信回路である。
【００２４】
また、図４〜６は、実施の形態１における指紋認証タイムレコーダの動作を示すフローチャートである。次に、指紋認証タイムレコーダの動作を図２〜６を参照して説明する。
勤怠操作時には、まずＦＮＣキー６より勤怠種別（in_Type）を取り込み、取得した内容を液晶表示器１０に表示する（ステップＳ４０１）。次に、テンキー１よりＩＤ番号（in_Id）を取り込み、取得した内容を液晶表示器１０に表示する（ステップＳ４０２）。次に、取消又は確認いずれかのボタンの押下を検出するまで待機する（ステップＳ４０３）。取消ボタン又は確認ボタンのいずれかの押下を検出したら、当該ボタンが取消ボタンか否かを調べる（ステップＳ４０４）。取消ボタンならば表示をクリアして、ステップＳ４０１へ戻る。取消ボタンではなく、確認ボタンならば、操作者の指紋データ（in_Fing）を指紋センサー３より取り込む（ステップＳ４０５）。
【００２５】
次に指紋データベースより当該ＩＤの指紋データ（Reg_Fing）と、取り込まれた指紋データを比較照合する（ステップＳ４０６）。照合結果がＮＧ（不一致）の場合は、照合エラーを液晶表示器１０に表示し（ステップＳ４０７）、内部時計より現在の日付・時刻（Now）を取り込む（ステップＳ４０８）。
ミス記録テーブルに登録されているＩＤ番号と勤怠種別がともに今回の入力操作で取得されたＩＤ番号と種別と一致しているかどうかをチェックし（ステップＳ４０９）、一致していなければ、初回操作であることを意味するので、ステップＳ４１１へ飛ぶ。ステップＳ４１１では、ミス記録テーブルの初期化のためにＩＤ番号および勤怠種別を、今回取得されたＩＤ番号および種別に書き換え、さらに初回操作日時および前回操作日時を現在の日付・時刻（日時）に書き換え、連続操作カウンタを１にセットして処理終了する（ステップＳ４１２）。
【００２６】
ミス記録テーブルのＩＤ番号と種別が一致している場合は、同一操作者による連続操作を意味するので、直前操作日時から現在日時までの操作時間間隔が最大操作インターバル（この最大操作インターバルは通常の操作時間間隔にオフセット値を加えたものである。たとえば、操作時間間隔が５秒であれば、２０秒や３０秒などを最大操作インターバルとする）内に収まっているかどうかを判断し（ステップＳ４１０）、最大操作インターバル時間を過ぎていれば、始めからやり直しをさせるため、先の説明同様に、ミス記録テーブルの初期化を行う（ステップＳ４１１、Ｓ４１２）。連続操作において上記操作時間間隔が最大操作インターバル内に収まっていれば、ミス記録テーブルの初回操作日時はそのままで、前回操作日時を現在日時に更新し、連続照合回数を１つカウントＵＰする（ステップＳ４１３）。
そして、この連続照合回数を照合ミス警告回数と比較し（ステップＳ４１４）、連続照合回数が照合ミス警告回数より上回った時には、連続照合を行っている操作者に対して「指紋ミスが多いため、指の置き方に注意ください。指紋データを再登録してください。」といった指紋操作ガイダンスを液晶表示器１０に表示する（ステップＳ４１５）。
操作者は、照合エラー表示を見て未だＮＧのままで勤怠打刻が完了していないことを確認し、再度入力、照合操作を行う。
【００２７】
ステップＳ４０７において、指紋照合がＯＫ（一致）して認証完了した場合は、内部時計より現在日時を取り込み（ステップＳ４１６）、ＮＧの時と同様にミス記録テーブルのＩＤ番号、勤怠種別が連続して同様かどうかをチェックし、照合ミスが同一の操作者によって連続で発生したものかどうかを判断する（ステップＳ４１７）。連続照合ミスでなく初回の照合ミスの場合、現在日時を勤怠操作日時とする（ステップＳ４２０）。連続照合ミスの場合、前回操作日時から現在までの操作時間間隔が最大インターバル範囲内に収まっているかをチェックし（ステップＳ４１８）、そうであれば、ミス記録テーブルの初回操作日時を勤怠操作日時（TIME）に戻して（ステップＳ４１９）、ステップＳ４２１へ飛ぶ。そうでない場合は、現在の日時をそのまま勤怠操作日時として（ステップＳ４２０）、ステップＳ４２１へ飛ぶ。
ステップＳ４２１では、勤怠操作した▲１▼ＩＤ番号、▲２▼勤怠種別、▲３▼操作日時の情報を作成して勤怠データ記憶手段１１に記録し、そのデータを遠隔のセンター装置に通知する。
最後にこれまでに使用したミス記録テーブルの全内容をクリアし、次の操作者が使用できるようにする。
【００２８】
実施の形態２．
実施の形態１では、照合ミスがなくなるまで、操作者が連続して操作を行う必要があるため、後から来て操作を待っている人の行列ができ、これらの人の出退勤日時が遅れる恐れがある。そこで、同一操作者が所定回数以上連続しても照合ミスが発生する場合に、一時操作を保留して空いた時間に再操作させてもよい。この実施の形態２では、この例について説明する。
【００２９】
図７は、この発明に係る指紋認証タイムレコーダの実施の形態２を示す構成図である。図において、図１と同符号は同一または相当部分である。１０８は操作入力を一時保留する保留ボタン、１０９は入力されたＩＤ番号および勤怠種別を保留データとして記憶している保留データ記憶手段である。
また、図８は、実施の形態２における指紋認証タイムレコーダの外観を示す図である。
【００３０】
次に、実施の形態２における指紋認証タイムレコーダの動作を説明する。
図２はこの実施の形態でも用いられる。
従業員などの操作者は、入出門時に指紋認証タイムレコーダの前に立ち、出勤あるいは退勤のいずれかをファンクション（ＦＮＣ）キー６で指定し、続いてテンキー１を利用して自分のＩＤ番号を入力操作する。さらに操作者は、指紋センサー３に指を置いて指紋データを指紋センサー３に入力させる。
これにより、指紋認証タイムレコーダにおいて、勤怠種別・ＩＤ番号入力手段１０２はＦＮＣキー６から「出勤」，「退勤」等の勤怠種別を取り込み、さらにテンキー１から操作者のＩＤ番号を取り込み、表示手段１０に取得した勤怠種別とＩＤ番号を表示し、操作者に確認させる。操作者は、確認後取消したい場合、「取消」ボタンを押す。勤怠種別・ＩＤ番号入力手段１０２は「取消」ボタンの押下を検出すると、取得した勤怠種別及びＩＤ番号の表示をクリヤして勤怠種別及びＩＤ番号の再入力操作を促す画面を表示する。これにより、操作者は勤怠種別及びＩＤ番号の再入力操作を行う。勤怠種別・ＩＤ番号入力手段１０２はこの再入力操作により、再び上記と同様に動作する。また、操作者は確認の結果ＯＫならば、「確認」ボタンを押す。勤怠種別・ＩＤ番号入力手段１０２は「確認」ボタンの押下を検出すると、取得した勤怠種別及びＩＤ番号を指紋照合手段１０５へ出力する。
【００３１】
指紋照合手段１０５は、勤怠種別・ＩＤ番号入力手段１０２から勤怠種別及びＩＤ番号を入力すると、保留ボタンが押されているか否かを調べる。この保留ボタンは、照合ミス多発者が操作を一時保留したい場合に用いるものである。なお、保留ボタンの解除は、操作者がＩＤ番号と勤怠種別を再度入力後、保留ボタンを再度押すことにより行われることとする。
指紋照合手段１０５は、保留ボタンが押されたことを検出したら、この旨のメッセージをＩＤ番号及び勤怠種別とともに指紋照合ミス集計・解析手段１０３へ出力する。指紋照合ミス集計・解析手段１０３は、指紋照合手段１０５から勤怠入力が保留された旨のメッセージをＩＤ番号及び勤怠種別とともに入力すると、このＩＤ番号及び勤怠種別を検索キーとして保留データ記憶手段１０９を検索して、同一のＩＤ番号かつ同一の勤怠種別のデータがあるか否かを調べる。該当するデータがなければ、勤怠入力操作が保留された旨のメッセージを表示手段１０に表示した後、取得したＩＤ番号及び勤怠種別と共に保留データ記憶手段１０９に記憶して処理を中断する。
保留データ記憶手段１０９の検索で該当するデータが取り出されたら、勤怠入力操作の保留が解除された旨のメッセージを表示手段１０に表示した後、保留データ記憶手段１０９内の当該データをクリアする。
保留ボタンの押下を検出しなかった場合または保留が解除された場合、指紋照合手段１０５は勤怠種別・ＩＤ番号入力手段１０２から取得したＩＤ番号を検索キーとして指紋データ記憶手段４に格納されているＩＤ番号毎の指紋データを検索し、該当する指紋データを取り出す。指紋データ記憶手段４に指紋データがなかったら、その旨のメッセージを表示手段１０にエラー表示して操作者に再操作を促す。指紋データ記憶手段４から指紋データが取り出されたら、指紋照合手段１０５はこの指紋データを指紋センサー３から取得した操作者の指紋データと照合する。
【００３２】
この指紋照合の結果、指紋データ記憶手段４からの指紋データと指紋センサー３から取得した操作者の指紋データとが不一致（照合ＮＧあるいは照合ミスともいう）ならば、指紋照合手段１０５は勤怠種別，ＩＤ番号および照合ＮＧの旨のメッセージを指紋照合ミス集計・解析手段１０３に出力する。指紋照合ミス集計・解析手段１０３は、指紋照合手段１０５から勤怠種別，ＩＤ番号，照合ＮＧの旨のメッセージを入力すると、この勤怠種別，ＩＤ番号を図２に示す内部のミス記録テーブルに記録するとともに、照合ＮＧの旨のメッセージを表示手段１０にエラー表示して操作者に再操作を促す。これにより、操作者は照合ＯＫになるまで勤怠種別、ＩＤ番号の入力操作及び指紋入力操作を繰り返す。
【００３３】
また、指紋照合ミス集計・解析手段１０３は、ミス記録テーブルに記憶されている前回のＩＤ番号と今回取得したＩＤ番号，操作開始日時，前回操作日時および時計９から取得した現在の日時に基づき同じＩＤの操作者が連続して同じ勤怠種別で操作したか否かを判断し、連続して同じ勤怠種別で操作していると判断した場合は照合ミスの回数を数え、連続照合ミス回数として照合ミス多発者検出手段１０６へ出力する。照合ミス多発者検出手段１０６は、指紋照合ミス集計・解析手段１０３から連続照合ミス回数を入力すると、この連続照合ミス回数と所定の値（基準値）を比較して所定回数を上回って連続して照合に失敗したか否かを調べる。所定回数を上回って失敗した場合、同一操作者が連続して照合ミスを行っていることを検出し、照合ミス多発の旨のメッセージを指紋操作ガイダンス手段１０７へ出力する。指紋操作ガイダンス手段１０７は、照合ミス多発者検出手段１０６から照合ミス多発の旨のメッセージを伝達されると、当該操作者に例えば「指紋ミスが多いため、指の置き方に注意して下さい。指は………となるように置いて下さい。」という指紋操作のガイダンスを表示手段１０に表示する。これにより、操作者は、指紋操作ガイダンスに従い、再入力操作を行う。
これにより、指紋照合ミス多発者の以降の照合ミスの発生を少なくすることができる。
【００３４】
指紋照合の結果、操作指紋データ記憶手段４からの指紋データと指紋センサー３から取得した操作者の指紋データとが一致した場合、指紋照合手段１０５は当該操作者を本人であると判断し、照合ＯＫの旨のメッセージを出力する。
操作開始日時出力手段１０４は、指紋照合手段１０５からの照合ＯＫまたは手動による照合ＯＫを入力すると、指紋照合ミス集計・解析手段１０３からの解析結果に基づき、指紋照合ミスが連続していたか否かをチェックする。指紋照合ミスが連続しない場合は、照合ＯＫとなった現在日時を出力し、指紋照合ミスが連続していた場合は、指紋照合ミス集計・解析手段１０３のミス記録テーブルから操作開始日時を取り込んで勤怠データ作成・記録手段８へ出力する。勤怠データ作成・記録手段８は、操作開始日時を操作開始日時出力手段１０４から入力すると、当該操作開始日時を操作日時とした上で、▲１▼ＩＤ番号、▲２▼勤怠種別、▲３▼操作日時を勤怠データとして作成し勤怠データ記憶手段１１に記録するとともに、この▲１▼〜▲３▼の勤怠データを遠隔のセンター装置に通知する。そして操作履歴記憶手段１０１の当該操作者のデータを全てクリアする。
【００３５】
このように、操作者が指紋認証の失敗を連続して繰り返した場合でも、指紋認証成功時に操作開始日時まで遡り、この操作開始日時を勤怠データに反映するようにしたので、勤怠管理全体の運用に支障をきたすことがなくなる。また、指紋照合ミス多発者に対して指紋操作ガイダンスによる指導を行うので、以降当該指紋照合ミス多発者による照合ミスの発生回数を少なくすることができる。
【００３６】
また、保留ボタンを操作することによりミス多発時は操作を一時中断することができるので、同一操作者が連続して指紋認証タイムレコーダの操作を行うことにより、当該タイムレコーダを独占し後から出勤または退勤して来た人で待ち行列ができる問題を防止することができる。また、ミス多発者は一時中断から再開までの間に熟練者から操作方法に関する教育を受けるなどの努力によりミス発生回数の低減化を図ることができる。
【００３７】
図９は実施の形態２における指紋認証タイムレコーダを、ＣＰＵを用いたハードウェアで実現する場合の構成を示した図である。図において、図３と同符号は同一又は相当部分を示す。１０８は保留ボタンである。
【００３８】
また、図１０〜１３は、実施の形態２における指紋認証タイムレコーダの動作を示すフローチャートである。次に、指紋認証タイムレコーダの動作を図２、図７〜１３を参照して説明する。なお、図１２は図５と同じであり、図１３は図６と同じである。
ステップＳ４０１からＳ４０４までの動作は実施の形態１と同様である。
ステップＳ１００１において、保留ボタンが押されているか否かを調べる。
保留ボタンの押下を検出したら、ステップＳ４０１及びＳ４０２で取得したＩＤ番号及び勤怠種別とから成る保留データと同一の保留データ（ＩＤ番号及び勤怠種）タが保留データ記憶手段１０９にあるか否かを調べる（ステップＳ１００２）。該当するデータがなければ、勤怠入力操作が保留された旨のメッセージを表示手段１０に表示すると共に取得したＩＤ番号及び勤怠種別と共に保留データ記憶手段１０９に記憶して（ステップＳ１００４）、処理を中断する。
ステップＳ１００２において、同一保留データが取り出されたら、勤怠入力操作の保留が解除された旨のメッセージを表示手段１０に表示すると共に保留データ記憶手段１０９内の当該データをクリアして（ステップＳ１００３）、ステップＳ４０５へ飛ぶ。
ステップＳ１００１において、保留ボタンの押下を検出しなかった場合、ステップＳ４０５へ飛ぶ。
ステップＳ４０５以降の動作は実施の形態１と同様である。
【００３９】
実施の形態３．
実施の形態１、２では、 ＩＤ番号，勤怠種，操作開始日時と照合ＯＫ時の日時のみを記録する内部のミス登録テーブルを使用した。従って管理する情報は少なく、センター装置へ通知する情報は限られていた。実施の形態３では、操作開始日時から操作成功日時に至るまでの一連の操作履歴を記憶する操作履歴記憶手段を追加して一連の操作履歴を蓄積し、照合ＯＫ時にすべての操作履歴を遠隔のセンター装置へ送信する実施の形態について説明する。
【００４０】
図１４は、この発明に係る指紋認証タイムレコーダの実施の形態３を示す構成図である。図において、図１と同符号は同一または相当部分である。１０１は、操作者の操作開始から操作成功までの一連の操作履歴を日時と共に記録する操作履歴記憶手段である。
【００４１】
次に、実施の形態３における指紋認証タイムレコーダの動作を説明する。
図１９は、この実施の形態１でも用いられる。
従業員などの操作者は、入出門時に指紋認証タイムレコーダの前に立ち、出勤あるいは退勤のいずれかをファンクション（ＦＮＣ）キー６で指定し、続いてテンキー１を利用して自分のＩＤ番号を入力操作する。さらに操作者は、指紋センサー３に指を置いて指紋データを指紋センサー３に入力させる。
これにより、指紋認証タイムレコーダにおいて、勤怠種別・ＩＤ番号入力手段１０２はＦＮＣキー６から「出勤」，「退勤」等の勤怠種別を取り込み、さらにテンキー１から操作者のＩＤ番号を取り込み、表示手段１０に取得した勤怠種別とＩＤ番号を表示し、操作者に確認させる。操作者は、確認後取消したい場合、「取消」ボタンを押す。勤怠種別・ＩＤ番号入力手段１０２は「取消」ボタンの押下を検出すると、取得した勤怠種別及びＩＤ番号の表示をクリヤして勤怠種別及びＩＤ番号の再入力操作を促す画面を表示する。これにより、操作者は勤怠種別及びＩＤ番号の再入力操作を行う。勤怠種別・ＩＤ番号入力手段１０２はこの再入力操作により、再び上記と同様に動作する。また、操作者は確認の結果ＯＫならば、「確認」ボタンを押す。勤怠種別・ＩＤ番号入力手段１０２は「確認」ボタンの押下を検出すると、取得した勤怠種別及びＩＤ番号を指紋照合手段１０５へ出力する。
【００４２】
指紋照合手段１０５は、勤怠種別・ＩＤ番号入力手段１０２から取得したＩＤ番号を検索キーとして指紋データ記憶手段４に格納されているＩＤ番号毎の指紋データを検索し、該当する指紋データを取り出す。指紋データ記憶手段４に指紋データがなかったら、その旨のメッセージを表示手段１０にエラー表示して操作者に再操作を促す。指紋データ記憶手段４から指紋データが取り出されたら、指紋照合手段１０５はこの指紋データを指紋センサー３から取得した操作者の指紋データと照合する。
【００４３】
この指紋照合の結果、指紋データ記憶手段４からの指紋データと指紋センサー３から取得した操作者の指紋データとが不一致（照合ＮＧあるいは照合ミスともいう）ならば、指紋照合手段１０５は勤怠種別，ＩＤ番号および照合ＮＧの旨のメッセージを指紋照合ミス集計・解析手段１０３に出力する。指紋照合ミス集計・解析手段１０３は、指紋照合手段１０５から勤怠種別，ＩＤ番号，照合ＮＧの旨のメッセージを入力すると、この勤怠種別，ＩＤ番号，照合ＮＧフラグ，時計９から入力したその時の日付・時刻を操作履歴記憶装置１０１に記録するとともに、照合ＮＧの旨のメッセージを表示手段１０にエラー表示して操作者に再操作を促す。これにより、操作者は照合ＯＫになるまで勤怠種別、ＩＤ番号の入力操作及び指紋入力操作を繰り返す。
【００４４】
また、指紋照合ミス集計・解析手段１０３は、操作履歴記憶手段１０１から当該操作者の初回操作時から現在操作時までの操作履歴をすべて取り出し、現在までの連続照合ミス回数を数え、連続照合ミス回数として照合ミス多発者検出手段１０６へ出力する。照合ミス多発者検出手段１０６は、指紋照合ミス集計・解析手段１０３から連続照合ミス回数を入力すると、この連続照合ミス回数と所定の値（基準値）を比較して所定回数を上回って連続して同じ照合操作に失敗したか否かを調べる。所定回数を上回って失敗した場合、同一操作者が連続して同じ操作で照合ミスを行っていると判断し、照合ミス多発の旨のメッセージを指紋操作ガイダンス手段１０７へ出力する。指紋操作ガイダンス手段１０７は、照合ミス多発者検出手段１０６から照合ミス多発の旨のメッセージを伝達されると、当該操作者に例えば「指紋ミスが多いため、指の置き方に注意して下さい。指は………となるように置いて下さい。」という指紋操作のガイダンスを表示手段１０に表示する。これにより、操作者は、指紋操作ガイダンスに従い、再入力操作を行う。
これにより、指紋照合ミス多発者の以降の照合ミスの発生を少なくすることができる。
なお、指紋操作ガイダンス表示後も更に所定回数（例えば１〜３回）以上照合ミスが発生する場合、門の近くに駐在する受付者にその旨のメッセージを通知するようにしてもよい。受付者はこの通知に基づき、操作者の所に赴き、当該操作者に指の置き方を指導するか、あるいは操作者を別の方法（身分証明書など）で確認の上、手動でタイムレコーダにＯＫ処理を行う。これにより、指紋照合ミス多発者の照合ミスの発生をさらに少なくすることができる。
【００４５】
指紋照合の結果、操作指紋データ記憶手段４からの指紋データと指紋センサー３から取得した操作者の指紋データとが一致した場合、指紋照合手段１０５は当該操作者を本人であると判断し、照合ＯＫの旨のメッセージを出力する。
操作開始日時出力手段１０４は、指紋照合手段１０５からの照合ＯＫまたは手動による照合ＯＫを入力すると、操作履歴記憶手段１０１から初回操作時の操作情報を取り出し、この操作情報から操作開始日時を抽出して勤怠データ作成・記録手段８へ出力する。勤怠データ作成・記録手段８は、操作開始日時を操作開始日時出力手段１０４から入力すると、当該操作開始日時を操作日時とした上で、▲１▼ＩＤ番号、▲２▼勤怠種別、▲３▼操作日時を勤怠データとして作成し勤怠データ記憶手段１１に記録するとともに、この▲１▼〜▲３▼の勤怠データを遠隔のセンター装置に通知する。また、操作履歴記憶手段１０１の当該操作者のデータを全て取り出し、センター装置に通知する。この後、操作履歴記憶手段１０１の当該操作者のデータを全てクリアする。
【００４６】
図３はこの実施の形態３でも用いられる。
また、図１５〜１７は、実施の形態３における指紋認証タイムレコーダの動作を示すフローチャートである。なお、図１５は図４と同じであり、図１７は図６と一部を除き同じである。次に、指紋認証タイムレコーダの動作を図２、図１４〜１７を参照して説明する。
ステップＳ４０１〜Ｓ４０９までの動作は実施の形態１と同様である。
ステップＳ１６０１において、操作履歴記憶手段１０１をステップＳ４０１、Ｓ４０２で取得したＩＤ番号と勤怠種別を検索キーとして検索する。
検索の結果（ステップＳ１６０２）、該当するものがあれば、連続照合ミスであることを示す前回フラグを有効にしてステップＳ４１０へ飛ぶ。
【００４７】
ステップＳ４１０では、直前操作日時から現在日時までの操作時間間隔が最大操作インターバル（この最大操作インターバルは通常の操作時間間隔にオフセット値を加えたものである。たとえば、操作時間間隔が５秒であれば、２０秒や３０秒などを最大操作インターバルとする）内に収まっているかどうかを判断し（ステップＳ４１０）、最大操作インターバル時間を過ぎていれば、始めからやり直しをさせるため、実施の形態１と同様に、ミス記録テーブルの初期化を行う（ステップＳ４１１、Ｓ４１２）。以降の動作は実施の形態１と同様である。
連続操作において上記操作時間間隔が最大操作インターバル内に収まっていれば、ミス記録テーブルの初回操作日時はそのままで、前回操作日時を現在日時に更新し、連続操作回数を１つカウントＵＰして（ステップＳ１６０５）、ステップＳ１６０１へ戻る。
【００４８】
ステップＳ１６０２における検索の結果、該当するものがなければ連続フラグが有効か否か調べる。連続フラグが有効ならば、ステップＳ４１１へ飛ぶ。以降の動作は実施の形態１と同様である。
連続フラグが有効でなければ、ステップＳ４１４へ飛ぶ。ステップＳ４１４以降の動作は実施の形態１と同様である。
なお、図１７において、ステップＳ４２２を実行したあと、ステップＳ１７０１において、ＩＤ番号および勤怠種別で検索された操作履歴記憶手段のすべてのデータをセンター装置に通知して、ステップＳ４２３へ飛ぶ。
【００４９】
この実施の形態によれば、操作者の操作開始から操作成功までの一連の操作履歴を蓄積し、この操作履歴をセンター装置に送るようにしたので、センター装置が集計し、統計解析により、ミス多発者の操作の癖の発見や、全体の傾向などを見つけ出すための有効な材料を提供することができる。
【発明の効果】
この発明によれば、操作者が指紋認証の失敗を連続して繰り返した場合でも、指紋認証成功時に操作開始日時まで遡り、この操作開始日時を勤怠データに反映するようにしたので、勤怠管理全体の運用に支障をきたすことがなくなる。
【００５０】
また、指紋照合ミス多発者に対して指紋操作ガイダンスによる指導を行うので、以降当該指紋照合ミス多発者による照合ミスの発生回数を少なくすることができる。
【００５１】
また、保留ボタンを操作することによりミス多発時は操作を一時中断することができるので、同一操作者が連続して指紋認証タイムレコーダの操作を行うことにより、当該タイムレコーダを独占し後から出勤または退勤して来た人で待ち行列ができる問題を防止することができる。
【００５２】
また、操作者の操作開始から操作成功までの一連の操作履歴を蓄積し、この操作履歴をセンター装置に送るようにしたので、センター装置が集計し、統計解析により、ミス多発者の操作の癖の発見や、全体の傾向などを見つけ出すための材料を提供することができる。
【００５３】
また、指紋操作ガイダンス表示後も更に所定回数以上照合ミスが発生する場合、外部へ例えば門の近くに駐在する受付者にその旨のメッセージを通知するようにしたので、受付者による当該操作者の指導、手動によるタイムレコーダにＯＫ処理により、指紋照合ミスの発生をさらに少なくすることができる。
【図面の簡単な説明】
【図１】  この発明に係る指紋認証タイムレコーダの実施の形態１を示す構成図である。
【図２】  ミス記録テーブルの構成を示す図である。
【図３】  実施の形態１における指紋認証タイムレコーダを、ＣＰＵを用いたハードウェアで実現する場合の構成を示した図である。
【図４】  実施の形態１における指紋認証タイムレコーダの動作を示すフローチャートである。
【図５】  実施の形態１における指紋認証タイムレコーダの動作を示すフローチャートである（続き）。
【図６】  実施の形態１における指紋認証タイムレコーダの動作を示すフローチャートである（続き）。
【図７】  この発明に係る指紋認証タイムレコーダの実施の形態２を示す構成図である。
【図８】  実施の形態２における指紋認証タイムレコーダの外観を示す図である。
【図９】  実施の形態２における指紋認証タイムレコーダを、ＣＰＵを用いたハードウェアで実現する場合の構成を示した図である。
【図１０】  実施の形態２における指紋認証タイムレコーダの動作を示すフローチャートである。
【図１１】  実施の形態２における指紋認証タイムレコーダの動作を示すフローチャートである（続き）。
【図１２】  実施の形態２における指紋認証タイムレコーダの動作を示すフローチャートである（続き）。
【図１３】  実施の形態２における指紋認証タイムレコーダの動作を示すフローチャートである（続き）。
【図１４】  この発明に係る指紋認証タイムレコーダの実施の形態３を示す構成図である。
【図１５】  実施の形態３における指紋認証タイムレコーダの動作を示すフローチャートである。
【図１６】  実施の形態３における指紋認証タイムレコーダの動作を示すフローチャートである（続き）。
【図１７】  実施の形態３における指紋認証タイムレコーダの動作を示すフローチャートである（続き）。
【図１８】  従来の指紋認証タイムレコーダの構成を示す図である。
【図１９】  従来の指紋認証タイムレコーダの外観を示す図である。
【符号の説明】
１  テンキー、２  ＩＤ番号入力手段、３  指紋センサー、４  指紋データ記憶手段、５  指紋照合手段、６  ファンクションキー、７  は勤怠種別入力手段、８  勤怠データ作成・記録手段、９  時計、１０  表示手段、１１  勤怠データ記憶手段、１０１  操作履歴記憶手段、１０２  勤怠種別・ＩＤ番号入力手段、１０３  指紋照合ミス集計・解析手段、１０４  操作開始日時出力手段、１０５指紋データと照合する指紋照合手段、１０６  照合ミス多発者検出手段、１０７  指紋操作ガイダンス手段、１０８  保留ボタン、１０９  保留データ記憶手段。
【図１】
0003893492.tif 000002
【図２】
0003893492.tif 000003
【図３】
0003893492.tif 000004
【図４】
0003893492.tif 000005
【図５】
0003893492.tif 000006
【図６】
0003893492.tif 000007
【図７】
0003893492.tif 000008
【図８】
0003893492.tif 000009
【図９】
0003893492.tif 000010
【図１０】
0003893492.tif 000011
【図１１】
0003893492.tif 000012
【図１２】
0003893492.tif 000013
【図１３】
0003893492.tif 000014
【図１４】
0003893492.tif 000015
【図１５】
0003893492.tif 000016
【図１６】
0003893492.tif 000017
【図１７】
0003893492.tif 000018
【図１８】
0003893492.tif 000019
【図１９】
0003893492.tif 000020